(57)【要約】【課題】簡単作業により売れ筋商品を所望の高さ位置に組み換えて陳列することのできる陳列ケースを提供する。【解決手段】複数段の第１段目棚体７１〜第５段目棚体７５のうち最上部の第５段目棚体７５に売れ筋商品を配列しておく。次の下段の第４段目棚体７４には、５段目の商品のピーク終了後に売れ筋となる商品を配列し、次の下段の第３段目棚体７３には、４段目の商品のピーク終了後に売れ筋となる商品を配列しておく。さらに、次の下段の第２段目棚体７２には、３段目の商品のピーク終了後に売れ筋となる商品を配列し、次の下段の第１段目棚体７１には、２段目の商品のピーク終了後に売れ筋となる商品を配列しておく。そして、第５段目棚体７５に売れ筋商品のピークが過ぎたら、順次第４段目棚体７４を５段目に移動し、第３段目棚体７３を４段目に移動して順次繰り上げて配置する。【選択図】図５
0003110110.tif 000002
【実用新案登録請求の範囲】
【請求項１】
相対向する側面板を有するケース本体と、
前記両側面板の相対向する面に設けられた複数段の支持部と、
これら複数段の各相対向する支持部間に着脱自在に架設され、左右方向に区分されて前後方向に延在する複数の商品収容領域を有する複数の棚体と
を有することを特徴とする商品陳列ケース。
【請求項２】
前記棚体は、その前部が下方であって後部が上方である斜状に架設されていることを特徴とする請求項１記載の商品陳列ケース。
【請求項３】
前記棚体の前端部には、前記商品収納領域の前端部を仕切る透明パネルが配置されていること特徴とする請求項１又は２記載の商品陳列ケース。
【請求項４】
前記商品収容領域に収容された最後部の商品に当接するスライド錘が設けられたことを特徴とする請求項２又は３記載の商品陳列ケース。
【請求項５】
前記ケース本体の上部には、複数の商品収容領域を有する固定棚部が設けられていることを特徴とする請求項１から４にいずれか記載の商品陳列ケース。
【考案の詳細な説明】
【技術分野】
【０００１】
本考案は、主として袋内に種子を収容した種子商品等を陳列する際に用いられる商品陳列ケースに関する。
【背景技術】
【０００２】
従来より、各種種子は、表面に当該種子の種別を示す植物の写真等が印刷された長方形の袋に収容されて商品として販売される。係る種子商品を販売するに際しては、一般的にスチール線で構成され、複数段の棚を有し、各棚には左右方向に区分されて前後方向に延在する複数の商品収容領域が設けられた陳列ケースを用い、各棚の商品収容領域毎に異なる種子商品を配置する。したがって、消費者は、各棚の商品収容領域において、その前端部に位置している種子商品の袋に印刷されている植物等を視認して、希望の種子商品を選択して取り出すことができる。
【考案の開示】
【考案が解決しようとする課題】
【０００３】
前記種子商品にあっては、季節により売れ筋商品が大きく異なる点において他の商品と異なる特性を有する。また、売れ筋商品は、商品陳列ケースにおいて、消費者の目線に対応する上部に配置して陳列されることが売れ行き上好ましい。しかるに、前述した従来の商品陳列ケースにあっては、各棚が固定して設けられていることから、月や季節が変化しても商品を棚ごと上部に移動させることができない。
【０００４】
無論、上部の棚に陳列されている種子商品を一旦全て取り出すとともに、下部の棚に陳列されていた売れ筋商品となる種子商品も全て取り出して、上部の棚に再度収容すれば、売れ筋商品を上部の棚に陳列することができる。しかし、このような作業を季節毎あるいは月が変わる毎に行うことは煩雑である。
【０００５】
本考案は、このような従来の課題に鑑みてなされたものであり、簡単作業により売れ筋商品を所望の高さ位置に組み換えて陳列することのできる陳列ケースを提供することを目的とするものである。
【課題を解決するための手段】
【０００６】
前記課題を解決するために請求項１記載の本考案に係る商品陳列ケースにあっては、相対向する側面板を有するケース本体と、前記両側面板の相対向する面に設けられた複数段の支持部と、これら複数段の各相対向する支持部間に着脱自在に架設され、左右方向に区分されて前後方向に延在する複数の商品収容領域を有する複数の棚体とを有する。
【０００７】
したがって、表面に当該種子の種別を示す植物が等が印刷された長方形の袋に、種子が収容されてなる種子商品を販売するに際しては、各棚体の複数の商品収容領域毎に異なる種子商品を配列して収容する。また、複数段の棚体のうち最上部の棚体に売れ筋商品を陳列し、次の下段及びそれ以下の棚体に順次、次の時期に売れ筋商品となる種子商品を配列する。
【０００８】
そして、月や季節の変化に伴って売れ筋商品が変化した場合には、売れ最上部の筋商品ではなくなった種子商品が陳列されている棚体をケース本体から取り外して、最下部に移動し、その下部の売れ筋商品となる種子商品が陳列されている棚体を最上部に移動させる。また、他の棚体も順次上部に移動させる。これにより、多数の種子商品の取り出しを伴うことなく、売れ筋商品が配列された棚体を消費者の目線に対応する上部に位置させることができ、これにより商品の販売を促進することができる。
【０００９】
また、請求項２記載の考案に係る商品陳列ケースにあっては、前記棚体は、その前部が下方であって後部が上方である斜状に架設されている。したがって、消費者が手前側の商品を取り出すことにより、残る商品収容領域内の商品がスライドし、商品が売れた場合であっても、整然とした陳列状態を維持することができる。
【００１０】
また、請求項３記載の考案に係る商品陳列ケースにあっては、前記棚体の前端部には、前記商品収納領域の前端部を仕切る透明パネルが配置されている。したがって、商品の袋に種別を示す植物の写真等が印刷されている場合であっても、消費者は最も手前側の種子商品の袋に印刷されている植物の写真を、透明パネルを介して視認することができる。
【００１１】
また、請求項５記載の考案に係る商品陳列ケースにあっては、前記商品収容領域に収容された最後部の商品に当接するスライド錘が設けられている。したがって、消費者が手前側の商品を取り出しても、スライド錘の重圧により残る商品収容領域内の商品がスライドし、より整然とした陳列状態を維持することができる。
【００１２】
また、請求項５記載の考案に係る商品陳列ケースにあっては、前記ケース本体の上部には、複数の商品収容領域を有する固定棚部が設けられている。したがって、この固定棚部に、月や季節の変化に左右されない種子商品を陳列することができる。
【考案の効果】
【００１３】
以上説明したように、請求項１に係る考案によれば、多数の種子商品の取り出しを伴うことなく、売れ筋商品が配列された棚体を消費者の目線に対応する上部に位置させることができ、よって、煩雑な作業を強いられることなく商品の販売を促進することができる。
【００１４】
また、請求項２に係る考案によれば、商品が売れた場合であっても、整然とした陳列状態を維持することができる。また、請求項３に係る考案によれば、商品の袋に種別を示す植物の写真等が印刷されている場合であっても、消費者は最も手前側の種子商品の袋に印刷されている植物の写真を、透明パネルを介して視認することができる。
【００１５】
また、請求項４に係る考案によれば、消費者が手前側の商品を取り出しても、スライド錘の重圧により残る商品収容領域内の商品がスライドし、より整然とした陳列状態を維持することができる。さらに、請求項４に係る考案によれば、固定棚部に月や季節の変化に左右されない種子商品を陳列して販売を行うことができる。
【考案を実施するための最良の形態】
【００１６】
以下、本考案の一実施の形態を図に従って説明する。図１〜４に示すように、商品陳列ケース１はケース本体１０を有している。このケース本体１０は、相対向する側面板２、２を有し、両側面板２、２は上部において、その間に配置された固定棚部３に固着され、下部において底部材４の両端部に固着されている。固定棚部３には、複数の横仕切板３１と縦仕切板３２とにより仕切られた複数の上部商品収容領域３３が設けられており、また、前端部には透明パネル３４が配置されている。
【００１７】
一方、前記両側面板２の相対向する面には、図５に示すように、第１桟５１から第５桟５５までの５本の桟が固定されている。これら各桟５１〜５５の上部には、一対の係止部６、６が固着されている。そして、これら第１桟５１〜第５桟５５の係止部６、６に、各々第１段目棚体７１〜第５段目棚体７５の両端部が着脱自在に支持されている。
【００１８】
各棚体７１〜７５は、底板８０、両側板８１、８１、後板８２、前板８３を一体に有する上部開口状の箱体であって、前板８３は透明パネルにより構成されている。また、各棚体７１〜７５の底板８０上には、複数の縦仕切板８４が配置されており、これにより棚体７１〜７５内には、左右方向に区分されて前後方向に延在する複数の商品収容領域８５が形成されている。また、棚体７１〜７５における底板８０下面には、３本の横木８６が間隔をおいて固着されており、これら横木８６間に前記係止部６、６が係合する係合凹部８７、８７が設けられている。そして、これら係合凹部８７、８７が係止部６、６と係合することにより、第１段目棚体７１〜第５段目棚体７５の両端部が第１桟５１〜第５桟５５に、着脱自在に支持されている。
【００１９】
なお、商品陳列ケース１において、透明パネル３４及び透明パネルからなる前板８３以外は木製である。
【００２０】
他方、図６に示すように、スライド錘９は断面略Ｌ状であって金属製であり、第１段目棚体７１〜第５段目棚体７５の各商品収容領域８５内に配置し得る大きさである。そしてスライド錘９は、この商品収容領域８５に配置された複数の種子商品Ｓにおいて、最後部の商品に当接する起立面９１と、底板８０に摺接する摺接面９２とを一体的に有している。
【００２１】
以上の構成に係る本実施の形態において、表面に当該種子の種別を示す植物が等が印刷された長方形の袋に、種子が収容されてなる種子商品Ｓを販売するに際しては、第１段目棚体７１〜第５段目棚体７５の各商品収容領域８５毎に異なる種子商品を配列して収容する。また、複数段の第１段目棚体７１〜第５段目棚体７５のうち最上部の第５段目棚体７５に売れ筋商品を配列しておく。また、次の下段の第４段目棚体７４には、５段目の商品のピーク終了後に売れ筋となる商品を配列し、次の下段の第３段目棚体７３には、４段目の商品のピーク終了後に売れ筋となる商品を配列しておく。さらに、次の下段の第２段目棚体７２には、３段目の商品のピーク終了後に売れ筋となる商品を配列し、次の下段の第１段目棚体７１には、２段目の商品のピーク終了後に売れ筋となる商品を配列しておく。
【００２２】
そして、第５段目棚体７５の売れ筋商品のピークが過ぎたら、順次第４段目棚体７４を５段目に移動し、第３段目棚体７３を４段目に移動し、第２段目棚体７２を３段目に移動し、第１目棚体７１を２段目に移動し、第５段目棚体７５を第１段目に移動する。これにより、多数の種子商品Ｓの取り出しを伴うことなく、売れ筋商品が配列された第１段目棚体７１〜第５段目棚体７５を消費者の目線に対応する上部に位置させることができ、よって容易に商品の販売を促進することができる。
【００２３】
また、第１段目棚体７１〜第５段目棚体７５は、その前部が下方であって後部が上方である斜状に架設されている。したがって、消費者が手前側の商品を取り出すことにより、残る商品収容領域８５内の種子商品Ｓがスライドし、種子商品Ｓが売れた場合であっても、整然とした陳列状態を維持することができる。
【００２４】
また、第１段目棚体７１〜第５段目棚体７５の前端部には、透明パネルからなる前板８３が配置されていることから、種子商品Ｓの袋に種別を示す植物の写真等が印刷されている場合であっても、消費者は最も手前側の種子商品Ｓの袋に印刷されている植物の写真を透明パネルを介して視認することができる。
【００２５】
また、収容領域８５に収容された最後部の種子商品Ｓに当接するスライド錘９が配置されていることから、消費者が手前側の種子商品Ｓを取り出しても、スライド錘の９重圧により残る収容領域８５内の種子商品Ｓがスライドし、より整然とした陳列状態を維持することができる。
。また、ケース本体の上部には、複数の種子商品Ｓ収容領域８５を有する固定棚部が設けられている。したがって、この固定棚部に、月や季節の変化に左右されない種子商品Ｓを陳列することができる。
【００２６】
なお、第１段目棚体７１〜第５段目棚体７５に陳列する商品は前述の形態に限らず、下記のように複数の棚体に同一時期の売れ筋商品を陳列してもよい。
第５段目棚体７５・・・２月３月売れ筋
第４段目棚体７４・・・２月３月売れ筋
第３段目棚体７３・・・４月５月売れ筋
第２段目棚体７４・・・４月５月売れ筋
第１段目棚体７１・・・７月売れ筋
【００２７】
また、入れ替え手順に関しても、前述の形態に限らずランダムに行ってもよい。さらに、本実施の形態においては、陳列する商品として種子商品Ｓを挙げたが、これに限ることなく、例えば複数枚が袋詰めされた絵はがき等の他の商品の陳列にも用いることができる。
【図面の簡単な説明】
【００２８】
【図１】本考案の一実施の形態を示す斜視図である。
【図２】同実施の形態を示す正面図である。
【図３】同実施の形態を示す左側面図である。
【図４】同実施の形態を示す右側面図である。
【図５】図２のＡ−Ａ線矢示断面図である。
【図６】図５の部分拡大断面図である。
【符号の説明】
【００２９】
１    商品陳列ケース
２    側面板
３    固定棚部
４    底部材
６    係止部
９    スライド錘
１０    ケース本体
３１    横仕切板
３２    縦仕切板
３３    上部商品収容領域
３４    透明パネル
７１    第１段目棚体
７２    第２段目棚体
７３    第３段目棚体
７４    第４段目棚体
７５    第５段目棚体
８０    底板
８１    両側板
８２    後板
８３    前板
８４    縦仕切板
８５    収容領域
８５    商品収容領域
８６    横木
８７    係合凹部
９１    起立面
９２    摺接面
Ｓ    種子商品
【図１】
0003110110.tif 000003
【図２】
0003110110.tif 000004
【図３】
0003110110.tif 000005
【図４】
0003110110.tif 000006
【図５】
0003110110.tif 000007
【図６】
0003110110.tif 000008